(57)【特許請求の範囲】
【請求項１】
消去部と、該消去部を固定する固定部とからなる筆記板用イレーザーであって、
前記消去部が、表面にパイル状の立毛部を有する不織布からなり、
前記消去部の裏面に樹脂が付着され、
前記樹脂がアクリル樹脂であり、且つ、
該樹脂の付着量が、２〜２０ｇ／ｍ２である筆記板用イレーザー。
【請求項２】
前記不織布が、アクリル繊維からなる請求項１記載の筆記板用イレーザー。
【請求項３】
前記消去部の目付が、１５０〜４５０ｇ／ｍ２である請求項１又は２に記載の筆記板用イレーザー。
【請求項４】
消去部が面ファスナーにより固定部に固定されており、
前記固定部が発泡プラスチックからなる請求項１〜３のいずれか１項に記載の筆記板用イレーザー。
【請求項５】
前記樹脂のガラス転移点が３０〜６０℃である請求項１〜４のいずれか１項に記載の筆記板用イレーザー。
【請求項６】
不織布がニードルパンチ不織布であり、
前記立毛部におけるパイルの高さが、１ｍｍ〜５ｍｍである請求項１〜５のいずれか１項に記載の筆記板用イレーザー。
【発明の詳細な説明】
【技術分野】
【０００１】
本発明は、ホワイトボード等の筆記板に、マーキングペン等で書かれた文字等を消去する筆記板用イレーザーに関し、文字等の消去性能を向上させた筆記板用イレーザーに関する。
【背景技術】
【０００２】
筆記板に書いた文字を消去する場合、筆記板用イレーザーが通常使用される。
筆記板用イレーザーは、一般に、文字等を拭き取る消去部及び該消去部を固定する固定部とからなる。
【０００３】
従来、筆記板用イレーザーの消去部には、布帛又は発泡体が使用される。
例えば、レーヨン繊維を含む不織布からなる筆記板用イレーザー用の消去用シートが知られている（例えば、特許文献１参照）。
一方、筆記板用イレーザーの固定部には、発泡体又は樹脂ケース（樹脂からなるケース）が使用される。
【０００４】
ところで、近年、消去部における布帛の表面（文字等消去面）には凹凸部、発泡体には開孔部を施した筆記板用イレーザーが開発されている。消去部の表面に凹凸部又は開孔部を施すことにより、筆記板上に書かれた文字等インキを拭き（削り）取り易くなる。
【０００５】
例えば、布帛として織物を用いる場合、形態を工夫することにより、表面に凹凸を施している。一方、不織布を用いる場合、不織布そのものの形態に小さな凹凸があるため、その部分を筆記板上に書かれたインキを拭き取り消去する部分として利用している。
また、発泡体を用いる場合、発泡体の形態そのものに開孔部を施し、該開孔部を筆記板上に書かれたインキを拭き取り消去する部分として利用している。
【先行技術文献】
【特許文献】
【０００６】
【特許文献１】特開２００３−１１５８６号公報
【発明の概要】
【発明が解決しようとする課題】
【０００７】
しかしながら、上記特許文献１記載の消去用シートを含む、従来の筆記板用イレーザーにおいては、筆記板上に書かれた文字等を効果的に消去することができないという欠点がある。
具体的には、筆記板上に書かれた文字が数文字程度であれば、少ない拭き取り回数でも十分に拭き取ることが可能であるが、文字数が多くなった場合、多くの拭き取り回数が必要であり、さらに、筆記板に書かれた文字を完全に消去させることも困難である。
また、従来の筆記板用イレーザーにおいては、布帛の凹凸部及び発泡体の開孔部に拭き取られたインキのカス等が詰まるので、拭き取り回数に比例して拭き取り性が低下する傾向にある。
【０００８】
本発明は上記事情に鑑みてなされたものであり、少ない拭き取り回数で、筆記板に書いた文字等を完全に消去することができ、また、消去する文字数が増えた場合であっても良好な拭き取り性が維持できる筆記板用イレーザーを提供することを目的とする。
【課題を解決するための手段】
【０００９】
本発明者等は、上記課題を解決するため鋭意検討したところ、消去部にパイル状の立毛部を有する不織布を用いることで、上記課題を解決し得ることを見出し、本発明を完成させるに至った。
【００１０】
本発明は、（１）消去部と、該消去部を固定する固定部とからなる筆記板用イレーザーであって、消去部が、表面にパイル状の立毛部を有する不織布からなり、消去部の裏面に樹脂が付着され、樹脂がアクリル樹脂であり、且つ、該樹脂の付着量が、２〜２０ｇ／ｍ２である筆記板用イレーザーに存する。
【００１１】
本発明は、（２）不織布が、アクリル繊維からなる上記（１）記載の筆記板用イレーザーに存する。
【００１２】
本発明は、（３）消去部の目付が、１５０〜４５０ｇ／ｍ２である上記（１）又は（２）に記載の筆記板用イレーザーに存する。
【００１３】
本発明は、（４）消去部が面ファスナーにより固定部に固定されており、固定部が発泡プラスチックからなる上記（１）〜（３）のいずれか１つに記載の筆記板用イレーザーに存する。
【００１４】
本発明は、（５）樹脂のガラス転移点が３０〜６０℃である上記（１）〜（３）のいずれか１つに記載の筆記板用イレーザーに存する。
【００１５】
本発明は、（６）不織布がニードルパンチ不織布であり、立毛部におけるパイルの高さが、１ｍｍ〜５ｍｍである上記（１）〜（５）のいずれか１つに記載の筆記板用イレーザーに存する。
【発明の効果】
【００１６】
本発明の筆記板用イレーザーにおいては、消去部にパイル状の立毛部を有する不織布を用いることで、少ない拭き取り回数で、筆記板に書いた文字等を完全に消去することができ、また、消去する文字数が増えた場合であっても良好な拭き取り性が維持できる。
ここで、拭き取り性とは、１回の拭き取りで拭き取れる量の程度である。すなわち、拭き取り性が優れるとは、１回の拭き取りで拭き取れる量が多いことを意味する。
このとき、不織布がアクリル繊維からなるものであると、拭き取り性がより向上する。
また、パイルの高さが、１ｍｍ〜５ｍｍであると、より少ない拭き取り回数で、筆記板に書いた文字等を完全に消去することができる。
【００１７】
本発明の筆記板用イレーザーにおいては、消去部の目付が、１５０〜４５０ｇ／ｍ２であるので、より一層少ない拭き取り回数で、筆記板に書いた文字等を完全に消去することができる。
【００１８】
本発明の筆記板用イレーザーにおいては、消去部の裏面に樹脂が付着されているので、消去部の剛性が増加し、拭き取り時の消去部の変異が小さくなる。これにより、文字等のインクが不織布の立毛部に十分引っ掛かった状態で掻き取られるので、文字等が十分拭き取れるようになる。
このとき、樹脂は、コスト及び取り扱い性の観点から、アクリル樹脂であることが好ましい。また、樹脂の付着量は、２〜２０ｇ／ｍ２であることが好ましい。
【図面の簡単な説明】
【００１９】
【図１】図１は、第１実施形態に係る筆記板用イレーザーに示す斜視図である。
【図２】図２は、第２実施形態に係る筆記板用イレーザーに示す斜視図である。
【発明を実施するための形態】
【００２０】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２１】
本発明に係る筆記板用イレーザーは、筆記板に書いた文字を消去する用途に用いられる。
ここで、筆記板としては、いわゆるホワイトボード等が挙げられる。具体的には、筆記面がホーローであるホワイトボード、筆記面がフッ素系樹脂のコーティングにより形成されたホワイトボード、シート状のホワイトボード、電子白板、ガラス面を筆記面とする筆記板等が挙げられる。
一方、文字を書く筆記具は、当該ホワイトボード用のマーキングペンが挙げられる。具体的には、インキ中の溶剤の揮発性が小さい油性マーキングペン、又は、水性マーキングペンが挙げられる。
【００２２】
（第１実施形態）
まず、第１実施形態に係る筆記板用イレーザーについて説明する。
図１は、第１実施形態に係る筆記板用イレーザーに示す斜視図である。
図１に示すように、第１実施形態に係る筆記板用イレーザーＡは、消去部１と、該消去部１を固定する固定部２とからなる。
【００２３】
第１実施形態に係る筆記板用イレーザーＡにおいて、固定部２は、発泡プラスチックからなる。
かかる発泡プラスチックとしては、特に限定されないが、例えば、発泡ポリウレタン、発泡ポリスチレン、発泡ポリエチレン、発泡ポリプロピレン等が挙げられる。
これらの中でも、発泡プラスチックとしては、汎用性、柔軟性の観点から、発泡ポリエチレンを用いることが好ましい。
【００２４】
固定部２は、円柱状となっており、上面に消去部１が固定されている。
ここで、消去部１の固定方法としては、特に限定されないが、例えば、粘着材による固定、面ファスナー（マジックテープ（登録商標））による固定等が挙げられる。これらは、それぞれ単独で用いてもよく、両者を同時に用いてもよい。なお、面ファスナーのみを用いて消去部１を固定部２に固定する場合は、消去部１が固定部２から着脱自在となる。
【００２５】
消去部１は、不織布からなる。
かかる不織布の製造方法は、特に限定されないが、例えば、乾式法、湿式法、スパンボンド法、メルトブロー法、サーマルボンド法、ケミカルボンド法、ニードルパンチ法、スパンレース法、ステッチボンド法、スチームジェット法等、繊維を熱や機械的又は化学的な作用によって接着又は絡み合わせる方法が挙げられる。
これらの中でも、不織布は、ニードルパンチ法により製造されたものであることが好ましい。この場合、パイルを形成し易いという利点がある。
【００２６】
上記不織布を構成する繊維の材質は、特に限定されないが、例えば、ポリエチレン繊維、ポリプロピレン繊維、ポリエステル繊維、ポリアミド繊維、アクリル繊維等が挙げられる。
これらの中でも、材質は、拭き取り性の観点から、アクリル繊維であることが好ましい。すなわち、アクリル繊維は、他の繊維より柔らかく、且つ油分の拭き取り性が良好であるので、特に、油性のインキを用いた文字等の場合、文字等の拭き取り性がより向上する。
【００２７】
上記不織布は、表面にパイル状の立毛部１ａを有している。すなわち、消去部１は、表面にパイル状の立毛部１ａを有する不織布からなる。
筆記板用イレーザーＡにおいては、消去部１にパイル状の立毛部１ａを有する不織布を用いることで、少ない拭き取り回数で、筆記板に書いた文字等を完全に消去することができ、また、消去する文字数が増えた場合であっても良好な拭き取り性が維持できる。
【００２８】
パイルからなる立毛部１ａの高さは、１ｍｍ〜５ｍｍであることが好ましく、２ｍｍ程度がより好ましい。
立毛部１ａの高さが、１ｍｍ未満であると、立毛部１ａの高さが上記範囲内にある場合と比較して、不織布からなる消去部１の表面の凹凸が小さくなるので、拭き取り性が悪くなり、立毛部１ａの高さが５ｍｍを超えると、立毛部１ａの高さが上記範囲内にある場合と比較して、拭き取り時に立毛部１ａが倒れ易くなるため、拭き取り性が悪くなる欠点がある。
【００２９】
消去部１は、裏面に樹脂が付着されている。このため、消去部１の剛性が増加し、拭き取り時の消去部の変異が小さくなる。これにより、文字等のインクが不織布の立毛部１ａに十分引っ掛かった状態で掻き取られるので、拭き取り性が向上する。
【００３０】
かかる樹脂としては、特に限定されないが、例えば、ポリエチレン樹脂、ポリプロピレン樹脂、ポリエステル樹脂、ポリアミド樹脂、アクリル樹脂等が挙げられる。
これらの中でも、樹脂としては、コスト及び取り扱い性の観点から、アクリル樹脂であることが好ましい。また、上述したように、消去部１がアクリル繊維を用いた不織布からなるものであると、アクリル樹脂との相溶性に優れるので、剥がれ難く、耐久性が向上する。
【００３１】
ここで、消去部１への樹脂の付着は、裏面のみであることが重要である。
例えば、樹脂が裏面に加え立毛部１ａにも付着した場合は、立毛部１ａも樹脂により硬くなってしまい、立毛部１ａによる拭き取り効果が低下し、十分拭き取ることができなくなる。
また、仮に立毛部１ａのみ樹脂が付着した場合は、不織布の変異が大きいにもかかわらず、立毛部１ａが付着した樹脂により硬いため、文字等のインキが立毛部１ａに引っ掛からず、文字等の拭き取り性が著しく低下することになる。
【００３２】
上記樹脂の硬さは、ガラス転移点（Ｔｇ）が３０〜６０℃であることが好ましく、４０〜５０℃であることがより好ましい。ガラス転移点が上記範囲内にある樹脂を用いることにより、消去部１の裏面に適切な剛性を付与することが可能となる。
【００３３】
上記樹脂の付着量は、２〜２０ｇ／ｍ２であることが好ましく、４〜６ｇ／ｍ２あることがより好ましい。樹脂の付着量が２ｇ／ｍ２未満であると、樹脂の付着量が上記範囲内にある場合と比較して、樹脂量が不十分になるので、不織布の変異が増加する欠点があり、樹脂の付着量が２０ｇ／ｍ２を超えると、樹脂の付着量が上記範囲内にある場合と比較して、樹脂が浸透し、消去部１の裏面のみならず、立毛部１ａにも付着する危険がある。
【００３４】
第１実施形態に係る筆記板用イレーザーＡにおいて、消去部１の目付は、１５０〜４５０ｇ／ｍ２であることが好ましい。
消去部１の目付けが、１５０ｇ／ｍ２未満であると、消去部１の目付けが上記範囲内にある場合と比較して、拭き取りに寄与する立毛部１ａや密度が十分に得られず、拭き取り性が低下する欠点があり、消去部１の目付けが４５０ｇ／ｍ２を超えても、消去部１の目付けが上記範囲内にある場合と比較して、効果が向上しない。
【００３５】
第１実施形態に係る筆記板用イレーザーＡによれば、少ない拭き取り回数で、筆記板に書いた文字等を完全に消去することができ、また、消去する文字数が増えた場合であっても良好な拭き取り性が維持できる
【００３６】
（第２実施形態）
次に、第２実施形態に係る筆記板用イレーザーについて説明する。
図２は、第２実施形態に係る筆記板用イレーザーに示す斜視図である。
図２に示すように、第２実施形態に係る筆記板用イレーザーＢは、消去部１１と、該消去部１１を固定する固定部１２と、固定部１２を固定する把持部１３とからなる。
第２実施形態に係る筆記板用イレーザーＢは、固定部１２の上面及び側面を消去部１１が覆うように固定されている点、及び、固定部１２が固定される把持部３を備える点で第１実施形態に係る筆記板用イレーザーＡと相違する。
【００３７】
第２実施形態に係る筆記板用イレーザーＢにおいて、固定部１２は、直方体状となっており、上面及び側面に消去部１１が固定されている。このため、固定部１２の上面に設けられた消去部１１のみならず、固定部１２の側面に設けられた消去部１１においても、文字等のインキを拭き取ることができる。
【００３８】
把持部１３は、直方体状となっており、上面に固定部１２が固定されている。すなわち、固定部１２の下面は、把持部１３に固定されている。
ここで、把持部１３の固定方法としては、特に限定されないが、例えば、嵌合による固定等が挙げられる。なお、このとき、接着剤が介在していてもよい。
【００３９】
把持部１３は、筆記板用イレーザーＢを用いる場合に、直接手で把持される部分である。したがって、形態を保持できる硬さを有していれば素材は特に限定されず、例えば、一般的なプラスチックや木材等が用いられる。
【００４０】
第２実施形態に係る筆記板用イレーザーＢによれば、少ない拭き取り回数で、筆記板に書いた文字等を完全に消去することができ、また、消去する文字数が増えた場合であっても良好な拭き取り性が維持できる。
【００４１】
以上、本発明の好適な実施形態について説明したが、本発明は上述した実施形態に限定されるものではない。
【００４２】
例えば、本実施形態に係る筆記板用イレーザーＡ，Ｂにおいては、固定部２，１２が、発泡プラスチックからなっているが、いわゆる樹脂ケースであってもよい。
【００４３】
第１実施形態に係る筆記板用イレーザーＡにおいては、固定部２が円柱状であり、固定部２の上面に固定された消去部１は、それに対応した円盤状となっているが、形状はこれに限定されない。
【００４４】
本実施形態に係る筆記板用イレーザーＡ，Ｂにおいて、消去部１，１１は、裏面に樹脂が付着されているが、必ずしも必須ではない。
【００４５】
本実施形態に係る筆記板用イレーザーＡ，Ｂにおいて、消去部１，１１の立毛部１ａ，１１ａは、所定の柄を形成していてもよい。
例えば、当該柄としては、コード柄と呼ばれている無地の柄であることが好ましい。なお、他の柄でも拭き取りが極端に低下することは無いが、比較的単純な柄の方が、偏り無く拭き取りを行うことができる。
柄の大きさは、特に制限されないが、拭き取り性の観点から、消去部１の長さ方向で約２〜４ｍｍ、巾方向で約１〜３ｍｍであることが好ましい。
【実施例】
【００４６】
以下、実施例及び参考例に基づいて本発明をより具体的に説明するが、本発明は以下の実施例に限定されるものではない。
【００４７】
（実施例１）
繊度が３．３ｄＴｅｘ、繊維長５１ｍｍのアクリル繊維を用い、ニードルパンチ法により、目付２５０ｇ／ｍ２の不織布を作製した。
そして、該不織布に対し、更にフォークニードルパンチ加工を実施し、目付２５０ｇ／ｍ2、パイル高さ２ｍｍのコード柄の立毛部を形成することにより、消去部を作製した。
【００４８】
次に、消去部の裏面（非パイル面）にスプレー加工にて、アクリル樹脂（日本ゼオン株式会社製、製品名：ニポール、品番ＬＸ８５７  Ｘ−２、ガラス転移点約４３℃）を約５ｇ／ｍ２付着させて剛性を付与した。
その後、粘着剤を塗布し、これを固定部（発泡体、発泡ポリエチレン３０倍体）に貼り付けることにより、図１に示すような筆記板用イレーザーを作製した。
【００４９】
（実施例２）
繊度が３．３ｄＴｅｘ、繊維長５１ｍｍのアクリル繊維を用い、ニードルパンチ法により、目付３００ｇ／ｍ２の不織布を作製した。
そして、該不織布に対し、更にフォークニードルパンチ加工を実施し、目付３００ｇ／ｍ２、パイル高さ２ｍｍのダイヤ柄の立毛部を形成することにより、消去部を作製した。
【００５０】
次に、消去部の裏面（非パイル面）にスプレー加工にて、アクリル樹脂（日本ゼオン株式会社製、製品名：ニポール、品番ＬＸ８５７  Ｘ−２、ガラス転移点約４３℃）を約８ｇ／ｍ２付着させて剛性を付与した。
その後、粘着剤を塗布し、これを固定部（発泡体、発泡ポリエチレン３０倍体）に貼り付けることにより、図１に示すような筆記板用イレーザーを作製した。
【００５１】
（実施例３）
繊度が３．３ｄＴｅｘ、繊維長５１ｍｍのアクリル繊維を用い、ニードルパンチ法により、目付２００ｇ／ｍ２の不織布を作製した。
そして、該不織布に対し、更にフォークニードルパンチ加工を実施し、目付２００ｇ／ｍ２、パイル高さ２ｍｍのコード柄の立毛部を形成することにより、消去部を作製した。
【００５２】
次に、消去部の裏面（非パイル面）にスプレー加工にて、アクリル樹脂（日本ゼオン株式会社製、製品名：ニポール、品番ＬＸ８５７  Ｘ−２、ガラス転移点約４３℃）を約３ｇ／ｍ２付着させて剛性を付与した。
その後、両面テープを取り付け、これを固定部（発泡体、発泡ポリエチレン３０倍体）に両面テープを介して貼り付けることにより、図１に示すような筆記板用イレーザーを作製した。
【００５３】
（比較例１）
消去部として、不織布の代わりに、ポリエチレンテレフタレート製のフェルト（パイルを有しない）を用いたこと以外は、実施例１と同様にして、筆記板用イレーザーを作製した。
【００５４】
（評価方法）
実施例１〜３及び比較例１で得られた筆記板用イレーザー（新品）と、  実施例１〜３及び比較例１で得られた筆記板用イレーザーを用いて予め５００文字を拭き取った後の各筆記板用イレーザーとを用い、拭き取り性の評価を行った。
拭き取り性の評価は、コクヨホワイトボード用マーカー（マーキングペン）を使用し、ホワイトボードに書いた文字（２０文字）を何往復させた場合に完全に消せるかを被験者１０名の往復回数の平均値を基に行った。
得られた拭き取り性の結果を表１に示す。表１中、往復回数が５回以下の結果のものを「◎」、往復回数が６〜１０回の結果のものを「○」、往復回数が１１〜１５回の結果のものを「△」、往復回数が１６回以上の結果のものを「×」で示す。
【００５５】
（表１）
0005849073.tif 000002
【００５６】
表１に示す結果より、本発明による実施例１〜３の筆記板用イレーザーにおいては、新品も一定期間使用後のものも、より少ない回数で、ホワイトボードの文字を消すことができ、更に文字数が多くなっても良好な拭き取り性を維持できることがわかった。
【産業上の利用可能性】
【００５７】
本発明は、筆記板に書いた文字を消去する筆記板用のイレーザーとして用いられる。本発明の筆記板用イレーザーによれば、少ない拭き取り回数で、筆記板に書いた文字等を完全に消去することができ、また、消去する文字数が増えた場合であっても良好な拭き取り性が維持できる。
【符号の説明】
【００５８】
１，１１・・・消去部
１ａ，１１ａ・・・立毛部
２，１２・・・固定部
１３・・・把持部
Ａ，Ｂ・・・筆記板用イレーザー
【図１】
0005849073.tif 000003
【図２】
0005849073.tif 000004